(57)【要約】    多数のコードの組み合わせを有する安全性の高いロックキーシステム。鍵のブレードは、側部に波状の案内面（１０４）を有し、回転自在なキープラグを有する錠に挿入された際に、キープラグが回転するのをロックする側部ロック機構と協働する１つ以上の側部ロックタンブラーを係合する。またこのブレードは、長手方向に延びた棚状の面、即ちブレードの側部に波状案内面が切り込まれる側部素材領域の上方の境界に位置する追加のコードレベル（１２１）を有する。
2007506015.tif 000002
【特許請求の範囲】
【請求項１】
錠と鍵を含み、この錠が
−円筒状の孔を有するハウジング（２０４）と、
−長手方向に延びたキースロット（２０１）と、このスロットの一側部に一列に配された複数の側部ロックタンブラー（２０６）とを有し、このロックタンブラーが側部ロック手段（２１３）と協働することによって前記円筒状の孔内で回転しないようにロックされる前記孔内で回転自在に軸支された円筒状のキープラグ（２０２）とを有し、
−少なくとも１つの前記側部ロックタンブラー（２０６）が横手方向に突出したフィンガー部（２０８）を有し、上下および回転運動のために対応するチャンバー（２０７）内に取り付けられ、
−この上下運動が前記チャンバー（２１６）に沿って加えられる力の作用に抗して行われ、
−側部ロックタンブラーの回転運動は、揺動運動を行うフィンガー部（２０８）に対応し、かつ、フィンガー部の各揺動限界位置に対応する２つの角度位置間で制限され、前記鍵（１００）が
−対応する錠のキープラグの前記キースロット（２０１）内に挿入可能な長手方向に延びたキーブレード（１０２）を含み、
−前記キーブレードは、長手方向に延びた棚状の面によって上方に形成されたキーブレードの一側部に素材領域を有し、この棚状面は、キーブレードの自由端部（１０７）に形成されたランプ面を含む波状の案内面（１０５）を形成するために素材領域内に切れ込んだ側部コードパターンによって少なくとも部分的に遮断されており、
−この波状案内面（１０６）は、少なくとも１つの前記側部ロックタンブラーのフィンガー部と係合し、このタンブラーを波状面に沿って移動させ、一方この側部ロックタンブラーは、前記力（２１６）に抗して上下動し、フィンガー部（２０８）は、キーブレードがキースロットに挿入された際に前記揺動端部の間で横方向に揺動させられ、
−前記波状案内面は、前記側部ロックタンブラー（２０６）に対応し、キーブレードがキースロットに完全に挿入された際にロックタンブラーによって前記側部ロック手段（２１３）が上記ハウジング（２０４）に対してキープラグ（２０２）を回転式に開放する特定の位置にフィンガー部（２０８）を案内する少なくとも１つの側部コード部（１２２、１２３、１２４、１２５）を含み、
−前記少なくとも１つの側部コード部（１２２、１２３、１２４、１２５）が、所定の数の垂直コードレベルの選択された１つと所定の数の前記フィンガー部の特定の揺動位置に対応する長手位置の選択された１つの位置に位置するロックキーシステムにおいて、前記少なくとも１つの側部コード部の前記所定の数の垂直コードレベルに加えて、前記棚状面に位置する追加の頂部コードレベルが設けられており、この追加の頂部コードレベルに位置するすべての側部コード頂部（１２１）が、前記錠の対応する側部ロックタンブラーのための追加のコードを表すことを特徴とするロックキーシステム。
【請求項２】
前記キーブレードが前記追加の頂部コードレベルに位置する少なくとも１つの側部コード頂部（１２１）を有することを特徴とする請求項１記載のロックキーシステムに使用する鍵。
【請求項３】
前記キーブレードの下縁部から棚状面の前記側部素材領域の高さが２．０乃至２．５ｍｍであることを特徴とする請求項２記載の鍵。
【請求項４】
前記高さが約２．２ｍｍであることを特徴とする請求項３記載の鍵。
【請求項５】
前記側部コード頂部（１１１）が前記フィンガー部を追加の頂部コードレベルに留めながら、前記フィンガー部を異なる揺動位置に位置させる長さを有し、全ての揺動位置が同じコードを表すことを特徴とする請求項２記載の鍵。
【請求項６】
前記側部コード頂部がキーブレードの先端の方を向いた前方揺動限界位置にフィンガー部を保持する支持面（１１２、１１４、１１６、１１７）を含むことを特徴とする請求項２記載の鍵。
【請求項７】
前記支持面（１１４、１１６、１１７）が前記前方揺動位置から離れた方向への揺動運動に抗する役割りを果たす前記側部コード頂部に少なくとも１つの浅い凹部の一部を形成することを特徴とする請求項６記載の鍵。
【請求項８】
前記浅い凹部が湾曲面およびこれに隣接する直線状の部分を含むことを特徴とする請求項７記載の鍵。
【請求項９】
前記支持面が２つの浅い凹部（１１７、１１９）の間に上方に突出した部分（１１８）を有することを特徴とする請求項７記載の鍵。
【請求項１０】
前記少なくとも１つの浅い凹部が前記側部素材領域の高さの５乃至１５％であることを特徴とする請求項７記載の鍵。
【請求項１１】
前記少なくとも１つの浅い凹部の垂直方向の長さが０．１５乃至０．２５ｍｍであることを特徴とする請求項１０記載の鍵。
【請求項１２】
前記棚状面（１３１）がキーブレードの上方縁部（１３２）の下に位置し、前記上方縁部も別個のコードパターンを製するための素材領域を有することを特徴とする請求項２記載の鍵。
【請求項１３】
前記棚状面（１５２）が前記キーブレードの幅の広い下方部分（１５１）の上面に位置していることを特徴とする請求項１２記載のキーブランク。
【請求項１４】
前記棚状面が上方に突出し、前記キーブレードの前記広がった下方部分（１５１）の前記上方面（１５２）を形成する長手方向に延びた舌部（１５３）に位置していることを特徴とする請求項１３記載のキーブランク。
【請求項１５】
前記棚状面が前記キーブレードの平坦な側部面に形成された長手方向に延びた直線状の溝（１４２）の下方壁部（１４１）を含むことを特徴とする請求項２記載のキーブランク。
【請求項１６】
前記棚状面が前記溝（１６１）のアンダーカットされた下方壁部（１６２）を含むことを特徴とする請求項１５記載のキーブランク。
【請求項１７】
前記棚状面が前記キーブレードの中央面に対して鋭角に配向されたアンダーカットされた下方壁部（１６２）を含むことを特徴とする請求項１６記載のキーブランク。
【請求項１８】
請求項１２乃至１７いずれか１項に記載のキーブランクから製せられた鍵。
【請求項１９】
対応する鍵（１００）のキーブレードの棚状面の追加の頂部コードレベルに位置する側部コード頂部（１２１）と協働するように設けられた少なくとも１つの側部ロックタンブラー（２０６）が設けられている請求項１に記載のロックキーシステムに使用される錠。
【請求項２０】
対応する鍵の前記側部コード頂部に対応する前記少なくとも１つの側部ロックタンブラー（２０６’）がその回転位置に関係なく、所定の高さに位置した際に前記キープラグを前記係止手段から解除させるように設けられていることを特徴とする請求項１９記載の錠。
【請求項２１】
前記列の少なくとも１つの側部ロックタンブラーが、それが特定の高さおよび回転位置に位置した時だけ、前記キープラグを前記係止手段から解除させるように設けられていることを特徴とする請求項１９記載の錠。
【請求項２２】
一列に配されたロックタンブラーが設けられ、その内の少なくとも１つが上下および回転運動のために取り付けられており、その内のさらなる少なくとも１つのロックタンブラー（２０６’’’）が１０°を超えない狭い角度範囲で回転運動が制限されて設けられており、対応する鍵の前記波状案内面と協働するためのフィンガー（２０８’’’）を有することを特徴とする請求項１９記載の錠。
【請求項２３】
前記さらなる少なくとも１つのロックタンブラー（２０６’’、２０６’’’）が上下運動だけするように設けられ、そのフィンガー部（２０８’’、２０８’’’）が揺動しないように案内され、通常、平坦、凹状または傾斜したコードロケーションと接触するように形成されていることを特徴とする請求項２２記載の錠。
【請求項２４】
前記さらなる少なくとも１つのロックタンブラーが前記追加の頂部コードレベルの下方の位置に位置したとき、前記キープラグを解除するように設けられていることを特徴とする請求項２２記載の錠。
【請求項２５】
前記さらなる少なくとも１つのロックタンブラーが前記追加のコードレベルに位置したとき、前記キープラグを解除するように設けられていることを特徴とする請求項２２記載の錠。
【請求項２６】
キーブレードの先端から離れた後方端部に前記ロックタンブラーのフィンガー部を保持する側部コード頂部を有することを特徴とする請求項２２に記載の錠に使用される鍵。
【請求項２７】
キーブレードが所定の長手方向手位置で異なるタンブラーを有する２つの異なる錠と協働すうように設けられた少なくとも１つのダブルコード部を含むことを特徴とする請求項２２に記載の錠に使用される鍵。
【発明の詳細な説明】
【技術分野】
【０００１】
本発明は、多数のコードの組み合わせを有する防護性の高い錠および鍵（ロックキー）システムに関する。このシステムは、鍵のキーブレードがその一側部に波状の案内面を有し、これが回転自在なキープラグを有する錠に挿入されると、キープラグが回転するのをロックする側部ロック機構と協働する１つ以上の側部ロックタンブラーと係合する。このようなロックキーシステムは下記特許文献１および２などからすでに知られている（両方ともBo Widenの名で出願されている）。
【特許文献１】米国特許第４，７５６，１７７号
【特許文献２】米国特許第５，７１５，７１７号
【背景技術】
【０００２】
また本発明は、このようなシステムに使用されるキーならびにキーブレードおよび錠に関する。
【０００３】
本発明のロックキーシステムは、上述の種類の鍵と錠を含み、この錠は、
−円筒状の孔を有するハウジングと、
−長手方向に延びたキースロットと、このスロットの一側部に一列に配された複数の側部ロックタンブラーとを有し、このロックタンブラーが側部ロック手段と協働することによって上記円筒状の孔内で回転しないようにロックされる上記孔内で回転自在に軸支された円筒状のキープラグとを有し、
−少なくとも１つの側部ロックタンブラーが横手方向に突出したフィンガー部を有し、上下および回転運動のために対応するチャンバー内に取り付けられ、
−この上下運動がこのチャンバーに沿って加えられる力の作用に抗して行われ、
−側部ロックタンブラーの回転運動は、揺動（pivot）運動を行うフィンガー部に対応し、かつ、フィンガー部の各揺限界位置に対応する２つの角度位置間で制限され、
鍵は、
−対応する錠のキープラグのキースロット内に挿入可能な長手方向に延びたキーブレードを含み、
−このキーブレードは、長手方向に延びた棚状の面によって上方に形成されたキーブレードの一側部に素材（material）領域を有し、この棚状面は、キーブレードの自由端部に形成されたランプ面を含む波状の案内面を形成するために素材領域内に切れ込んだ側部コードパターンによって少なくとも部分的に遮断されており、
−この波状案内面は、少なくとも１つの側部ロックタンブラーのフィンガー部と係合し、このタンブラーを波状面に沿って移動させ、一方この側部ロックタンブラーは、上記力に抗して上下動し、フィンガー部は、キーブレードがキースロットに挿入された際に上記揺動限界位置の間で横方向に揺動させられ、
−この波状案内面は、上記側部ロックタンブラーに対応し、キーブレードがキースロットに完全に挿入された際にロックタンブラーによって上記側部ロック手段が上記ハウジングに対してキープラグを開放する特定の位置にフィンガー部を案内する少なくとも１つの側部コード部を含み、
−この少なくとも１つの側部コード部が、所定の数の垂直コードレベルの選択された１つと所定の数の上記フィンガー部の特定の揺動位置に対応する長手位置の選択された１つの位置に位置する。
【０００４】
上述の米国特許から知られているこのようなロックキーシステムは、回転自在なタンブラーまたはその中で揺動するフィンガー部を有さない従来のシステムと比較して、非常に高度なセキュリティー性能を有する。このロックキーシステムでは非常に多くのコードの組み合わせが可能であり、錠をこじ開けたり、操作するのが非常に困難である。そのタンブラーは、キースロット内に僅かに部分的に露出しており、タンブラーの正しい上下および揺動コードポジションは、キースロットからは、見ることができない。従って、特定のコードポジションは、キースロット内を覗くまたは道具を用いてフィンガー部の位置をさぐっても知ることはできない。
【０００５】
公知のキーブレードの波状案内面（場合によっては側部鍵の歯形状とも呼ばれる）の各側部コード部は、２つの上方に傾斜した面を有する凹面によって構成され、これら傾斜面は、その長手方向の側部に滑らかに隣接している。これらの凹面は、キーブレードの側部で複数の所定の垂直レベルに位置させることが可能である。より具体的には側部コード部の最も高い垂直レベルを波状案内面が切り込まれる側部素材領域の最も高い部分より幾分下方に位置する垂直レベルに位置させ、隣接する傾斜部の垂直方向の延長部を供する（accommodate）。この種の鍵の公知の典型例を図２８に示す。
【０００６】
コード構造のための特定の側部ロックタンブラーに対応する側部コード部の可能な数は、所定の垂直レベルと側部ロックタンブラーに対する複数の長手方向の位置との組み合わせによって決まる。長年に亘って商業的に使用されてきた典型的なシステムでは、側部タンブラーの数は、５つ（キーブレードの上方縁部と協働する６つの中央に位置するタンブラーとは別に）である。波状案内面または側部鍵の歯形状がキーブレードの側部で切り込まれる側部素材領域の高さは、比較的低い（キーブレードの長手方向に対して垂直な方向）、例えば約２．０ｍｍ（約０．０８０インチ）ほどである。従って特にキーブレードの底縁部から計算して０．６０ｍｍ（０．０２４インチ）および１．２０ｍｍ（０．０４８インチ）という２つのレベル間ではコードを明確に差別化することができるが、限られた数の垂直レベルしか供することができない。
【０００７】
このような差別化されたレベルは、対応する側部ロックタンブラーのフィンガー部の特定の位置に関連する。ここで使用される態様では、フィンガー部の各揺動限界位置（＋１５°と−１５°の揺動角度で）に対応する２つの垂直レベルと中間の揺動位置（０°の揺動角度で）に対応するさらなる２つのレベルがあり、これらレベルは、前述の２つのレベルより僅かに高く、０．９０ｍｍ（０．０３６インチ）および１．５０ｍｍ（０．０６０ｍｍ）ほどである。０°の揺動角度でコード部の垂直レベルが揺動限界位置角度での垂直レベルよりも幾分高い理由は、隣接する揺動位置間の差または相互の距離が、明確に差別化されたコードを供するには小さすぎるからである。この違いは、垂直レベルだけでなく長手方向位置が異なるときに大きくなる。
【０００８】
従ってこの例の各側部ロックタンブラーには６つの可能なコードがある、即ち、
−＋１５°での揺動限界位置に対応する異なる垂直レベルでの２つのコード位置、
−−１５°での揺動限界位置に対応する異なる垂直レベルの２つのコード位置、
−中間揺動位置に対応する異なった僅かに高い垂直レベルでの２つの位置、
これにより各側部ロックタンブラーで合計で６つの可能なコード部または合計で６５＝７７７６の異なる組み合わせが可能になる。
【０００９】
当然のことながら、この比較的多数の組み合わせをさらに増加させることが望まれている。しかしながら、鍵の寸法は、統一されており、また既存の施設に対応させなければならない。従って唯一の可能性としては、垂直レベルを接近させるか、これは接近させたレベル間の垂直方向の差を０．５０ｍｍ（０．０２０インチ）未満にすることを意味する、または４つ以上の異なる揺動位置を用いることしかない、しかしながらこれもこのような変形をおこなっても非常に小さい長手方向の差にしかならないので不可能である。
【発明の開示】
【発明が解決しようとする課題】
【００１０】
これに対し、本発明の主たる目的は、鍵の複製または錠のピッキングに対してより高度な安全性を提供し、より多くの数のコードの組み合わせが可能であり、かつ、錠と鍵の総寸法が従来のものとは変わらないロックキーシステムを提供することである。さらに本発明は、鍵およびキーブランク（key blank）の製造を高度に制御することができるようにすることを目的とし、これによりこのロックキーシステムのユーザーは、鍵が独自のものであり、権限のない者が容易に複製することができないという安心感が得られる。
【課題を解決するための手段】
【００１１】
これらの目的は、請求項１に記載されている特徴を有するシリンダーロックおよびキーシステムによって達成される。従って当該ロックキーシステムに使用されている垂直コードレベルとは別に、本発明は、長手方向に延びた棚状の面、即ち波状案内面または側部鍵の歯形状がキーブレードの側部で切り込まれた上方の境界領域でさらに別のコードレベルを供する。この追加の特別なコードレベルのおかげでコードの組み合わせの数は、大幅に増加させることができ、上述の例においては、各側部ロックタンブラーの場合、６から７つにコードの組み合わせが増加し、一列の５つの側部係止タンブラーがある場合、７７７６から１６８０７個に組み合わせの数が増加する。これは従来の組み合わせの２倍以上であり、９０３１個のさらなる組み合わせが可能となり、いくつかの態様では、それ以上になる。これらのさらなる組み合わせは、将来のロックキーシステムに利用することができ、従ってこのシステムのエンドユーザーに製造が管理されたキーブレードを販売することが可能になる。このようにしてこれらのさらなる組み合わせを使用することによって将来のシステムにおいても許可されていない鍵のコピーに対して非常に高度な安定性が維持される。
【００１２】
また新しい側部コードパターンが追加のコードレベルにおいて少なくとも１つのさらなるコード部を含む既存の錠装置のために新しいキーを複製（cut）することも可能になる。既存の錠装置では、シリンダーの側部の組み合わせは、通常の組み合わせ技術、即ち既存のタンブラーを追加のコードレベルで作動するように設けられた新しいタンブラーに交換することによって変えることができる。
【００１３】
このようにして既存の装置は新しい９０３１通りの組み合わせを利用するために容易にアップグレードすることができる。
【００１４】
本発明の概念は、側部鍵の歯形状を収容する側部素材領域の上部の境界において長手方向に延びた棚状の面であっても、それが凹部に隣接する互いに隣接する傾斜面を供することができず、対応するタンブラーフィンガー部の揺動位置を独自に定めることができなくても側部コードパターンとして利用することができるという知見に基づいている。下方レベルに位置し、隣接する傾斜部を有し、従って上述の米国特許に詳しく開示されているような凹部位置を形成するコード部の場合、異なる側部コード部を特定の揺動位置に割り当てることができるが、このような差別化されたコードの割り当ては、通常隣接する傾斜部を持たない側部コード頂部では不可能であった。それにも拘わらず、このような側部コード頂部は、その垂直レベルに対して独自のものとなり、従って対応するタンブラーフィンガーによる特定の揺動位置に関係なく、特定のコードをこの側部コード頂部に割り当てることができる。
【００１５】
しかしながら、実際には回転自在な側部タンブラーのフィンガー部は、それが傾斜面で長手方向に延びた棚状面の一部を形成する側部コード頂部へと上方に（キーブレードが錠に挿入されている間）スライドすると常に特定の揺動位置に配向されるということも明らかになっている。フィンガー部が傾斜を上がっていくと、フィンガー部は、その自由端部がキーブレードの自由端または先端に向くように案内される。実質的に平坦な隣接する側部コード頂部上に移動するとフィンガー部は、キーブレードの錠のキースロット内への挿入が完了した後もこの特定の揺動位置に保持される。
【００１６】
フィンガー部は、それが平坦な側部コード頂部に到達した際にランダムに揺動すると考えられる。しかしながら、フィンガー部の質量は、タンブラー胴体の質量と比較しても非常に軽い。従ってフィンガー部は、タンブラー胴体がその対応するチャンバー内でその軸を中心に回転する場合のみ揺動することができる。錠が垂直またはその他のランダムな動きにさらされたとしてもタンブラーを回転させるタンブラーに作用するトルクは発生しない。さらにタンブラー胴体には、例えばスプリングによる力が加わっているので、フィンガー部と平坦な側部コード頂部の面との接触点での特定の摩擦は生じない。これはなぜフィンガー部が実質的に、その特定の位置に保持されるか、即ち、揺動限界位置がキーブレードの先端に向くかを説明している。
【００１７】
従って、平坦な側部コード頂部上にいかなるストッパーまたは保持手段を必要としない。それでも安全な側に位置し、フィンガー部がその位置から動いてしまうという予期し得ないことを除外するためにキーブレードが錠のキースロットの挿入位置にある限り、積極的にフィンガー部をその揺動位置に保持する比較的浅い保持構造を有する平坦な側部コード頂部を形成するのが好ましい。
【００１８】
追加のコードレベルは、キーブレードに沿ったあらゆる長手方向位置、即ち、一列の複数の側部ロックタンブラーのいずれか１つのために使用することができる。各このような側部コード頂部に対して対応する側部ロックタンブラーのフィンガー部は、上述のようにキーブレードの先端に向いた揺動限界位置に自動的に位置し、保持される。
【００１９】
本発明の多くの利点が添付の特許請求の範囲に記載されており、下記の詳細な説明からより明らかになるはずである。
【００２０】
本発明は、下記特許文献３に記載されているようなまたは他の種類のロック機構およびキーコードパターンと組み合わせて使用することができる。
【特許文献３】米国特許第５，０６７，３３５号
【００２１】
さらに多くの追加のコードの組み合わせを供するためにロックキーシステムに回転自在または非回転自在なロックタンブラーの両方を使用することが可能である。システムのいくつかの錠に非回転自在な（しかし上下には移動可能である）ロックタンブラーと回転自在であって上下動可能なロックタンブラーを使用することによって高度な安全性を維持するためにこのような非回転式のロックタンブラーに対応するキーブレードの先端から離れて配された後端部および他のコード位置の側部コード頂部と協働するように設けられたフィンガー部を設けてもよい。これによって各タンブラーに対してさらに１つのコード位置、即ち８番目のコード位置を得ることができる。
【００２２】
本発明を本発明のロックキーシステムのいくつかの好ましい態様を例示した添付図面を参照してより具体的に説明する。
【発明を実施するための最良の形態】
【００２３】
図１に本発明によるシステムに含まれるシリンダー錠と鍵を示す。鍵１００は、保持部１０１と錠２００のキースロット２０１に挿入可能なキーブレード１０２を有する。このキースロット２０１は、ハウジング２０４内の円筒状の孔２０３内に回転自在に軸支されたキープラグ２０２内を長手方向に延びている。
【００２４】
この態様では、キーブレード１０２は、中央に一列に配されたロックタンブラー２０５と協働する従来の切り欠き部をその上縁部に有する頂部コードパターンを有する。
【００２５】
本発明ではこのキーブレードには上記米国特許に開示されているものと類似の特別な側部コード部１０４を有する側部コードパターンも設けられている。この側部コードパターンは、キーブレード１０２が錠２００のキースロット２０１内に挿入された際に一列に配された側部ロックタンブラー２０６と協働する連続的な通常、波状の案内面によって形成されている。
【００２６】
各側部ロックタンブラー２０６は、対応するチャンバー２０７（図２、３および４も参照）内に取り付けられ、その中で上下および回転運動をする。各側部ロックタンブラー２０６は、横方向に突出したフィンガー部２０８を有し、これらフィンガー部は、キースロット内に到達し、側部ロックタンブラーがチャンバー２０７内で回転すると揺動運動を行う。実際にはキーブレードがキースロット２０１内に挿入された際に側部ロックタンブラーのフィンガー部２０８がキーブレードの案内面とコード部１０４と係合し、側部ロックタンブラー２０６を上下および回転運動させる。
【００２７】
側部ロックタンブラー２０６にはその後部の円筒状面に一組の凹部２０９、２１０が設けられている（フィンガー部の反対側に）。これら凹部の内の１つ２０９を図２に示し、両方を図３に示している。これら凹部２０９、２１０の間には係止部材または壁部材として機能する側部バー２１３内の対応する凹部２１２内に嵌め込まれるブリッジ部２１１が設けられている。この側部バー２１３は、外方円筒状面に隣接したキープラグ２０２内のスロット状の凹部２１４内に取り付けられている。側部バーは、図２に示すように錠のハウジング２０４内の対応する溝２１５内に通常位置するように半径方向外方にばねによって力が加えられている。この位置で側部バー２１３は、キープラグがハウジング２０４に対して回転するのを効果的に防いでいる。
【００２８】
しかしながら、キースロット２０１に正しくコードされたキーブレード１０２を有する鍵が挿入された際に全ての側部タンブラーが正しく位置決めされた場合、ブリッジ部２１１は、側部バー２１３の対応する凹部２１２と整列し、これにより凹部が半径方向内方に移動することができる。このような内方の移動は、キーブレードが完全に挿入位置に位置している間、キーブレードを回転させることによって行うことができ、これにより溝２１５のフランク部が側部バーをスロット状の凹部２１４内へと内方へ変位させる。この時その他の中央に配置されたロックタンブラー２０５などの他のロック機構が解除されていれば、キープラグ２０２をハウジング２０４内で回転させることができる。
【００２９】
従ってキーブレード１０２がさらにキースロット２０１内を移動すると、フィンガー部２０８とキーブレード１０１の案内面との係合によって側部ロックタンブラー２０６が前後に回転し、同時に側部ロックタンブラーは、上下運動を行う。フィンガー部２０８には、下方向への力が加えられ、フィンガー部は、側部係止タンブラー２０６とチャンバー２０７の内方上部壁で圧縮されたらせん状のばね２１６の作用によって案内面と摺動係合し続ける。
【００３０】
コードロケーション１０４を有する側部コードパターンは、キーブレード１０２の自由端１０７に隣接したランプ（ramp）面を含む通常、波状の案内面１０５によって構成されている。キーブレード１０２がキースロット２０１内に挿入されると、ランプ面が各側部係止タンブラー２０６の各フィンガー部２０８と連続的に係合し、フィンガー部を揺動させ、かつ、持ち上げ、これによりフィンガー部２０８は、波状案内面１０５に沿って摺動する。このように摺動することによってフィンガー部２０８は、波状案内面１０５の傾斜面を追って上下に移動する。またフィンガー部は、揺動または前後に回転することによって側部ロックタンブラー２０６を回転させる。
【００３１】
図３および４に示すようにチャンバー２０７の下方部分からキースロット２０１内へと延びたチャネル２１７が設けられており、このチャネルの側壁が中央面からの各方向のフィンガー部２０８の揺動運動を制限する当接面２１８、２１９を構成している。図示の例では当接面２１８、２１９は、フィンガー部の動きが各方向において１５°に制限され、即ちフィンガー部は、この態様では３０°の扇形で左右に回転するように位置している。
【００３２】
ここまで説明してきた錠と鍵の構造および機能は、基本的には上記特許文献から知られている。図５に示すようにコードパターン１０５を有するこの種の鍵１００（図１に示したものと同一である）は、５つのコード部１２１、１２２、１２３、１２４、１２５を有する。各コード部は、側部タンブラー２０６の長手方向の配置（図１）に対応した長手方向位置に位置しているが、フィンガー部２０８が回転端部位置（−１５°または＋１５°）のいずれか一方に回転した際にフィンガー部２０８の自由端の位置に対応した距離分僅かにずらすことも可能である。各コード部１２２、１２３、１２４、１２５は、鍵１００が錠のキースロット２０１内に完全に挿入されたときに特定の回転位置に各フィンガー部を位置決めするのを補う２つの隣接する傾斜面の間に位置する凹面を形成している。
【００３３】
上記特許文献で説明されているようにこれにより各フィンガー部の異なる上下の位置（elevational position）および異なる揺動位置、即ち上述の例では各タンブラーのこのような６つの組み合わせ（６つ全てのコード部が同じ種類である場合、合計で６ｘ６ｘ６ｘ６ｘ６＝７７７６のコードの組み合わせ）に関係しているので、非常に多くの数の組み合わせを含むコードを供する。
【００３４】
しかしながら、コード位置の数を増やし、鍵の複製および錠のピッキングに対する安全性を向上させるためにコード部１０４を有する側部コードパターンを構成する案内面１０５は、本発明による特別な方法で形成されている。このことを例示するためにキーブレードの側部に設けられたいくつかの変形コードパターンを示す図５乃至図９を参照する。これらの例では案内面１０５の１つ以上のコード部が２つの傾斜面に隣接する凹面として形成されてなく、従来コードパターンが切り込まれた素材領域の上部の境界を形成する棚状面となる上方の平坦な面の一部を形成する側部コード頂部として形成されている。
【００３５】
キーブレードが完全にキースロット内に挿入された際に対応する側部係止タンブラーがこの側部コード頂部と接触しながら、あらゆる回転角度位置に揺動できるように長手方向に長さを有してもよい。符号１２１で示すようにこのような実質的に平坦な側部コード頂部を図５および１０に示す。
【００３６】
図６ａおよび６ｂに示す態様ではキーブレードの自由端部でランプ面１０６を含む波状案内面は、３つの「通常の」凹面２２１、２２３および２２５を含むが、また２つの長手方向に延びた側部コード頂部２２２および２２４を含む。対応するフィンガー部がこれら側部コード頂部と係合すると、フィンガー部２０８（図２に示した）は、同じ高さに維持されながらあらゆる揺動または回転角度位置を取ることができる（図４参照）。しかしながら、上述したようにフィンガー部は、自動的にキーブレードの自由端または先端の方に向いた揺動限界位置に位置する。
【００３７】
従ってこの高さ自体が特別なコードを形成し、このコードは特定のタンブラーの既存の「窪みコード」とは別のさらなるコードとなる。このようにして上述のものとは別の１つ以上の可能なコード位置、例えば６つのコード位置の代わりに７つの可能なコード位置がある。従って可能なコードの組み合わせの合計は、この特定の例では７ｘ７ｘ７ｘ７ｘ７＝１６８０７通りとなる。
【００３８】
一般的にこのような側部コード頂部の数は、５つのタンブラーと各タンブラーの７つのコード位置を有するこの態様では、０、１、２、３、４または５にすることができる。
【００３９】
さらに別の例を図７ａ、７ｂ（凹面３２１、３２２、３２３および３２５に加えて１つの側部コード頂部３２４を有する）、図８ａ、８ｂ（窪み４２１、４２２、４２３および４２４に加えて１つの側部コード頂部４２５を有する）および図９ａ、９ｂ（２つの側部コード頂部５２１、５２５および３つの凹面５２２、５２３、５２４）に示す。
【００４０】
側部コード頂部は、いくつかの異なる方法で形成することができる。図１０に示すように（また図１および図５に示すように）、側部コード頂部は、キーブレードの下方縁部と平行に延びた連続した直線状の長手方向に延びた面１２１によって形成することができる。
【００４１】
これとは別に図１１に示すように側部コード頂部は、浅い凹部に隣接することができる比較的短い支持面１１１として形成することができる。この比較的短い面は、当接面２１８（図４に示した）と当接する揺動限界位置にフィンガー部２０８（タンブラー２０６上の）を保持する。キーブレードをキースロット内に挿入すると、側部ロックタンブラーのフィンガー部２０８が波状案内面からの摩擦係合によってこのような揺動限界位置内に振られる。
【００４２】
上述したようにキーブレードが完全にキースロット内に挿入されると、側部ロックタンブラーのフィンガー部は、これらの揺動限界位置に留まる。従って傾斜面によってフィンガー部を所定の位置に保持する必要がない。
【００４３】
それでも図１２に示すように側部コード頂部の主要直線状面１１５にカーブした部分１１４で滑らかに隣接する僅かに低い位置または浅い窪みに端部１１３を供することによって案内または支持を行うことができる。
【００４４】
図１３には図の中央より右にずれた位置に位置し、フィンガー部が両方向に揺動するのを弾性的に止める役割を果たす浅い凹部１１６が設けられている。
【００４５】
また図１４に示すように側部コード頂部が長手方向両側に位置する２つの凹部１１７、１１９によって形成された上方に突出した部分１１８を含むように形成することも可能である。
【００４６】
コード部のコードパターンおよびその位置を図１５に略式に示す。ここでは各側部ロックタンブラー２０６のフィンガー部２０８が７つの異なるコード位置、即ち６つの異なる位置に位置する凹面（２つの異なる垂直レベルにおける３つの揺動位置）と上述の追加の頂部コード位置に対応する位置に位置させることができる。フィンガー部２０８の３つの揺動位置を断面で図１５に示し、図１６乃至１８に斜視図で示す。
【００４７】
コードロケーションにおいてフィンガー部を特定の揺動位置に位置させる場合、各側部ロックタンブラー２０６の後方円筒状面の凹部２０９、２１０間に位置するブリッジ部２１１は側部バー２１３（図３に示した）の凹部２１２と整列するように中央に位置する。当然のことながら、またこれらの凹部およびブリッジ部２１１は、キーブレード１０２の対応するコード位置の垂直レベルに対応した垂直位置においても位置決めされなければならない。フィンガー部があらゆる揺動位置に位置してもよいように追加の頂部コードレベルで側部コード頂部と協働するように設けられた側部ロックタンブラー２０６’（図１９に示す）は、その後部面の凹部は、タンブラー２０６’の回転位置に関係なく、一体化された凹部２０９’として形成してもよい。
【００４８】
当然のことながら、これらの７つの異なるコード位置またはコード部は、高低差を有してもよい。しかしながら、今日多く使用されている標準的な鍵では、例示した態様が典型的なものであり、非常に実用的な例である。キーブレードの長手方向に対して垂直なキーブレードの垂直方向の延長部は、約８．６ｍｍ（約０．３４インチ）であり、特定の案内面が切り込まれた側部素材部の垂直方向の延長部または高さは、約２．２ｍｍ（２．０乃至２．５ｍｍの範囲で）である。図１１乃至１４の浅い凹部の高さは、約０．２ｍｍ（０．１５乃至０．２５ｍｍの範囲で）である。
【００４９】
キーブレードおよび波状案内面が形成されている側部素材面の垂直方向の延長部が上述の寸法を有していても各側部タンブラーに対してコード位置の数を８つに増やすことも可能である。これを図２０乃至２２に例示する。ここではロックキーシステムは、非回転式側部タンブラー２０６’’（図２１）または２０６’’’（図２２）を有する錠を含む。１つ以上の非回転式タンブラー（または回転が極めて制限されたタンブラー）を有するこのような錠は、回転自在な側部タンブラーだけを有する他の錠を含むシステムに使用することができる。図２０（その上部右側に拡大して示した）ではこの後方端部を符号８（上、左）で示し、それ以外のコード位置を符号１乃至７で示している。コード位置８は、図１２の部分１１５に相当する。
【００５０】
非回転式のタンブラー２０６’’’のフィンガー部２０８’’’（図２２）が３０°の角度で広がった扇形を形成し、回転を妨げる（図４参照）基部２０８’’’ｂと挿入されたキーブレードから離れて位置するキーブレードの側部コード頂部と係合するように錠の前側（図１参照）に向かって変位した狭い先端部２０８’’’ｔを有する。
【００５１】
同じようなロックキーシステムにおいて、図２１に示すようなタンブラー２０６’’を有する錠を使用することができる。これらのタンブラー２０６’’は、基部から自由端または先端へと３０°の広がりを持って延びたフィンガー部２０８’’を有する。このようなフィンガー部は、コード位置７、８の両方と協働し、また他のコード位置またはこのような他のコード位置のいくつかもしくは全ての傾斜部と協働する。
【００５２】
キーブレードのコードロケーション８は、最も高い、またはほぼ最も高いレベルに位置しているので、キーブレードが錠に挿入される間、コードロケーション８の方へフィンガー部を案内する傾斜は非常に小さいか、全くない。このため、コードロケーション８の近傍でタンブラーのフィンガー部の揺動位置を限定された揺動角度内（例えば５°または１０°未満）に制限する、またはこの位置での揺動（図２０乃至２２に示すように）を完全に防ぐ必要がある。
【００５３】
回転しない、または小さい角度領域内でしか回転しないこのような特別な形状のタンブラーフィンガー部は、錠のキースロット（図１の２０１）を介して覗き込むことによって確認されてしまう。このようなタンブラーが錠内に存在するか、またはどこに存在するかを確認できないようにするために、他のコードロケーション例えば１または２のロケーションにも、場合によっては３、４、５、６および７のロケーションにも選択的に使用することが必要である。３、４、５、６および７のロケーションでは、タンブラーフィンガー部は、各コード位置への回転方向に鍵の接触面を配向するように形成することも可能である。
【００５４】
コードロケーション８とこれに対応するように構成されたタンブラーとの組み合わせによって（５つ）のタンブラーの位置のいずれか１つのコードロケーションに、コード位置８に隣接するコードロケーション７、５または６に切り込み（即ち、ダブルカット）を入れることも可能である。このような鍵は、コードロケーション８を有する錠だけでなく、特定のコードロケーション７、５または６を有する錠も開錠することができる。このダブルカットによって当然のことながら、多くの異なる錠を開錠することができるマスターキーを得ることができる。
【００５５】
図２３乃至２７に示すように案内面の上方限界部を形成し、１つ以上の側部コード頂部を部分的に形成する長手方向に延びた棚状面は、種々の方法で形成することができる。図２３ではこの棚状面１３１は、キーブレード１３０の上方縁部１３２の下方に位置している。この場合、棚状面１３１は、キーブレードの中央面Ｃに対して直角に位置している。
【００５６】
図２４では棚状面１４１は、キーブレード１４０の溝の底部壁であり、この壁は、同じようにキーブレードの中央面に対して直角に位置している。
【００５７】
図２５ではキーブレード１５０は、幅の広い下方部分１５１を有し、この場合、棚状面１５２は、上方に突出し、長手方向に延びた舌部１５３の上方縁部に形成されている。
【００５８】
図２６では棚状面１６２は、アンダーカットされた溝１６１の下方の側壁１６２によって形成され、下方底部壁１６２は、鋭角を形成するためにアンダーカットされており、かつ、溝の底部の方へ内方に向いている。これと類似しているが、複雑な形状のキーブレード１７０のアンダーカットされた溝１７１を図２７に示し、表面領域を符号１７２で示す。
【００５９】
本発明によるロックキーシステムは、当業者であれば変型することができる。上述したように錠の全てのタンブラーが回転自在である必要はない。一列の側部係止タンブラーの数は、異なってもよく、例えば列に２つだけまたは６以上のあらゆる必要な数であってもよく、コードレベルの数も自由に選択してもよい（より多くのコードレベルを使用する場合、素材領域の高さを高くする必要がある）。フィンガー部の揺動位置の数は、３未満、例えば２つでもよく、または４つ以上、例えば４または５つであってもよい。回転終了位置の角度は、異なってもよい。鍵の各側に１つの側部コードパターンを設けてもよく、また頂部コードパターンを設けなくともよい。また鍵の形状も種々、変更可能である。
【図面の簡単な説明】
【００６０】
【図１】鍵と錠の斜視図であり、より明確に示すために錠の一部を切り欠いて示している。
【図２】図１のII−II線に沿った一部断面図。
【図３】図２のIII線に沿った錠、特に上方から見た側部ロックタンブラーの断面図。
【図４】突出フィンガー部を有する側部ロックタンブラーを介した図２のIV線に沿った錠の別の断面図。
【図５】本発明による波状側部コードパターンを有するキーブレードの斜視図。
【図６ａ】側部コードパターンの可能なバリエーションを有する図５のキーブレードの切り欠き部を拡大して示した斜視図。
【図６ｂ】側部コードパターンの可能なバリエーションを有する図５のキーブレードの切り欠き部を拡大して示した側面図。
【図７ａ】側部コードパターンの可能なバリエーションを有する図５のキーブレードの切り欠き部を拡大して示した斜視図。
【図７ｂ】側部コードパターンの可能なバリエーションを有する図５のキーブレードの切り欠き部を拡大して示した側面図。
【図８ａ】側部コードパターンの可能なバリエーションを有する図５のキーブレードの切り欠き部を拡大して示した斜視図。
【図８ｂ】側部コードパターンの可能なバリエーションを有する図５のキーブレードの切り欠き部を拡大して示した側面図。
【図９ａ】側部コードパターンの可能なバリエーションを有する図５のキーブレードの切り欠き部を拡大して示した斜視図。
【図９ｂ】側部コードパターンの可能なバリエーションを有する図５のキーブレードの切り欠き部を拡大して示した側面図。
【図１０】本発明によるいくつかのコード頂部の切り欠き部の拡大図。
【図１１】本発明によるいくつかのコード頂部の切り欠き部の拡大図。
【図１２】本発明によるいくつかのコード頂部の切り欠き部の拡大図。
【図１３】本発明によるいくつかのコード頂部の切り欠き部の拡大図。
【図１４】本発明によるいくつかのコード頂部の切り欠き部の拡大図。
【図１５】各側部ロックタンブラーのための可能な側部コード部の位置を点で表した本発明のキーブレードの略式側面図。
【図１６】異なる方向を向いたフィンガー部を有する図１５に示した側部ロックタンブラーの斜視図。
【図１７】異なる方向を向いたフィンガー部を有する図１５に示した側部ロックタンブラーの斜視図。
【図１８】異なる方向を向いたフィンガー部を有する図１５に示した側部ロックタンブラーの斜視図。
【図１９】あらゆる回転位置に位置するように設計された側部ロックタンブラーの斜視図。
【図２０】本発明のロックキーシステムの変形例のキーブレードの図１５に類似した略式側面図。
【図２１】図２０のキーブレードと協働する錠に使用するための側部ロックタンブラーの斜視図。
【図２２】図２０のキーブレードと協働する錠に使用するための側部ロックタンブラーの斜視図。
【図２３】本発明に関連して使用することができる可能なキーブレード形状の断面図。
【図２４】本発明に関連して使用することができる可能なキーブレード形状の断面図。
【図２５】本発明に関連して使用することができる可能なキーブレード形状の断面図。
【図２６】本発明に関連して使用することができる可能なキーブレード形状の断面図。
【図２７】本発明に関連して使用することができる可能なキーブレード形状の断面図。
【図２８】コード部として機能する複数の凹面部を有する波状の側部コードパターンを有する従来の鍵の斜視図。
【図１】
2007506015.tif 000003
【図２】
2007506015.tif 000004
【図３】
2007506015.tif 000005
【図４】
2007506015.tif 000006
【図５】
2007506015.tif 000007
【図６ａ】
2007506015.tif 000008
【図６ｂ】
2007506015.tif 000009
【図７ａ】
2007506015.tif 000010
【図７ｂ】
2007506015.tif 000011
【図８ａ】
2007506015.tif 000012
【図８ｂ】
2007506015.tif 000013
【図９ａ】
2007506015.tif 000014
【図９ｂ】
2007506015.tif 000015
【図１０】
2007506015.tif 000016
【図１１】
2007506015.tif 000017
【図１２】
2007506015.tif 000018
【図１３】
2007506015.tif 000019
【図１４】
2007506015.tif 000020
【図１５】
2007506015.tif 000021
【図１６】
2007506015.tif 000022
【図１７】
2007506015.tif 000023
【図１８】
2007506015.tif 000024
【図１９】
2007506015.tif 000025
【図２０】
2007506015.tif 000026
【図２１】
2007506015.tif 000027
【図２２】
2007506015.tif 000028
【図２３】
2007506015.tif 000029
【図２４】
2007506015.tif 000030
【図２５】
2007506015.tif 000031
【図２６】
2007506015.tif 000032
【図２７】
2007506015.tif 000033
【図２８】
2007506015.tif 000034
【国際調査報告】
2007506015.tif 000035
2007506015.tif 000036